(57)【要約】【課題】インターネットに接続可能な電話端末に対して、電話番号を無駄に使用することなく多くのアクセス情報を配信する。【解決手段】  電子メールの送受信が可能な電話端末１０−１〜１０−ｎにおいて、ダイレクトメール７０に掲載された電話番号７１を用いて情報配信サーバ３０に電話がかけられ、ダイレクトメール７０に掲載されたキーワード７２が音声にて電話端末１０−１〜１０−ｎから情報配信サーバ３０に通知されるだけで、このキーワード７２によって特定されるＷｅｂサーバ２０−１〜２０−Ｎにて管理されるＷｅｂページのＵＲＬが掲載された電子メールが情報配信サーバ３０から電話端末１０−１〜１０−ｎに送信される。【選択図】図１
2005136815.tif 000002
【特許請求の範囲】
【請求項１】
電子メールの送受信が可能な電話端末と、該電話端末からの要求に応じた情報を配信する情報配信手段とを有してなる情報配信システムであって、
前記情報配信手段は、
前記電話端末の電話番号と電子メールアドレスとを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくアクセス情報管理手段と、
前記電話端末から音声によって通知されてきた識別情報を音声認識する音声認識手段とを有し、
前記端末情報管理手段は、前記音声認識手段にて音声認識された識別情報の通知元となる電話端末の電話番号に対応づけて管理している電子メールアドレスをデータベースから検索し、
前記アクセス情報管理手段は、前記音声認識手段にて音声認識された識別情報に対応づけて管理しているアクセス情報をデータベースから検索し、
前記端末情報管理手段にて検索された電子メールアドレスを宛先とし、前記アクセス情報管理手段にて検索されたアクセス情報が掲載された電子メールを作成、送信する電子メール送受信手段を有することを特徴とする情報配信システム。
【請求項２】
電子メールの送受信が可能な電話端末と、該電話端末からの要求に応じた情報を配信する情報配信手段とを有してなる情報配信システムであって、
前記情報配信手段は、
前記電話端末の電話番号及び電子メールアドレスと前記電話端末の利用者の属性情報とを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくとともに、前記属性情報を振り分け可能な振り分け条件と前記アクセス情報に付与する変数情報とを対応づけてデータベースとして管理しておくアクセス情報管理手段と、
前記電話端末から音声によって通知された識別情報を音声認識する音声認識手段とを有し、
前記端末情報管理手段は、前記音声認識手段にて音声認識された識別情報の通知元となる電話端末の電話番号に対応づけて管理している電子メールアドレス及び属性情報をデータベースから検索し、
前記アクセス情報管理手段は、前記音声認識手段にて音声認識された識別情報に対応づけて管理しているアクセス情報をデータベースから検索するとともに、前記端末情報管理手段にて検索された属性情報が振り分けられる振り分け条件に対応づけて管理している変数情報をデータベースから検索し、前記アクセス情報に前記変数情報を付与して個別アクセス情報を生成し、
前記端末情報管理手段にて検索された電子メールアドレスを宛先とし、前記アクセス情報管理手段にて生成された個別アクセス情報が掲載された電子メールを作成、送信する電子メール送受信手段を有することを特徴とする情報配信システム。
【請求項３】
請求項１または請求項２に記載の情報配信システムにおいて、
前記電話端末は、該電話端末の測位機能及び測位結果を前記情報配信手段に通知する機能を有し、
前記アクセス情報管理手段は、前記測位結果を振り分け可能な振り分け条件と前記アクセス情報に付与する変数情報とを対応づけてデータベースとして管理しておき、前記電話端末から前記識別情報が通知されてきた場合、該識別情報に対応づけて管理しているアクセス情報をデータベースから検索するとともに、前記電話端末の測位結果が振り分けられる振り分け条件に対応づけて管理している変数情報をデータベースから検索し、前記アクセス情報に前記変数情報を付与して個別アクセス情報を生成し、
前記電子メール送受信手段は、前記端末情報管理手段にて検索された電子メールアドレスを宛先とし、前記アクセス情報管理手段にて生成された個別アクセス情報が掲載された電子メールを作成、送信することを特徴とする情報配信システム。
【請求項４】
請求項１乃至３のいずれか１項に記載の情報配信システムにおいて、
前記アクセス情報管理手段は、１つのアクセス情報に複数の識別情報を対応づけ、かつ、１つの識別情報に複数のアクセス情報を対応づけてデータベースとして管理しておき、複数の識別情報が通知された場合に前記複数の識別情報に対応づけて管理しているアクセス情報をデータベースから検索することを特徴とする情報配信システム。
【請求項５】
電子メールの送受信が可能な電話端末に対して、該電話端末からの要求に応じた情報を配信する情報配信サーバであって、
前記電話端末の電話番号と電子メールアドレスとを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくアクセス情報管理手段と、
前記電話端末から音声によって通知されてきた識別情報を音声認識する音声認識手段とを有し、
前記端末情報管理手段は、前記音声認識手段にて音声認識された識別情報の通知元となる電話端末の電話番号に対応づけて管理している電子メールアドレスをデータベースから検索し、
前記アクセス情報管理手段は、前記音声認識手段にて音声認識された識別情報に対応づけて管理しているアクセス情報をデータベースから検索し、
前記端末情報管理手段にて検索された電子メールアドレスを宛先とし、前記アクセス情報管理手段にて検索されたアクセス情報が掲載された電子メールを作成、送信する電子メール送受信手段を有することを特徴とする情報配信サーバ。
【請求項６】
電子メールの送受信が可能な電話端末に対して、該電話端末からの要求に応じた情報を配信する情報配信サーバであって、
前記電話端末の電話番号及び電子メールアドレスと前記電話端末の利用者の属性情報とを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくとともに、前記属性情報を振り分け可能な振り分け条件と前記アクセス情報に付与する変数情報とを対応づけてデータベースとして管理しておくアクセス情報管理手段と、
前記電話端末から音声によって通知されてきた識別情報を音声認識する音声認識手段とを有し、
前記端末情報管理手段は、前記音声認識手段にて音声認識された識別情報の通知元となる電話端末の電話番号に対応づけて管理している電子メールアドレス及び属性情報をデータベースから検索し、
前記アクセス情報管理手段は、前記音声認識手段にて音声認識された識別情報に対応づけて管理しているアクセス情報をデータベースから検索するとともに、前記端末情報管理手段にて検索された属性情報が振り分けられる振り分け条件に対応づけて管理している変数情報をデータベースから検索し、前記アクセス情報に前記変数情報を付与して個別アクセス情報を生成し、
前記端末情報管理手段にて検索された電子メールアドレスを宛先とし、前記アクセス情報管理手段にて生成された個別アクセス情報が掲載された電子メールを作成、送信する電子メール送受信手段を有することを特徴とする情報配信サーバ。
【請求項７】
請求項５または請求項６に記載の情報配信サーバにおいて、
前記アクセス情報管理手段は、前記電話端末から通知された当該電話端末の測位結果を振り分け可能な振り分け条件と前記アクセス情報に付与する変数情報とを対応づけてデータベースとして管理しておき、前記電話端末から前記識別情報が通知されてきた場合、該識別情報に対応づけて管理しているアクセス情報をデータベースから検索するとともに、前記電話端末の測位結果が振り分けられる振り分け条件に対応づけて管理している変数情報をデータベースから検索し、前記アクセス情報に前記変数情報を付与して個別アクセス情報を生成し、
前記電子メール送受信手段は、前記端末情報管理手段にて検索された電子メールアドレスを宛先とし、前記アクセス情報管理手段にて生成された個別アクセス情報が掲載された電子メールを作成、送信することを特徴とする情報配信サーバ。
【請求項８】
請求項５乃至７のいずれか１項に記載の情報配信サーバにおいて、
前記アクセス情報管理手段は、１つのアクセス情報に複数の識別情報を対応づけ、かつ、１つの識別情報に複数のアクセス情報を対応づけてデータベースとして管理しておき、複数の識別情報が通知された場合に前記複数の識別情報に対応づけて管理しているアクセス情報をデータベースから検索することを特徴とする情報配信サーバ。
【発明の詳細な説明】
【技術分野】
【０００１】
本発明は、ネットワークを介して情報を配信する情報配信システム及び情報配信サーバに関し、特に、インターネット上にてアクセス可能な領域にアクセスするためのアクセス情報を配信する情報配信システム及び情報配信サーバに関する。
【背景技術】
【０００２】
近年、インターネットやパソコンが急速に普及し、個人が時間や場所を問わずにインターネットに接続することが容易に行われるようになってきている。また、それに伴い、インターネット上にＷｅｂページを開設し、このＷｅｂページを用いて情報を提供したり、商品等を販売したりする企業団体等が急速に増加している。そのため、このようにインターネット上に開設されたＷｅｂページは、様々な情報を収集したり、サービスを受けたりする上で便利な手段としてビジネスやプライベートで多くのユーザに利用されている。さらに、携帯電話機の普及、並びに携帯電話機のＷｅｂページへのアクセス機能の充実によって、インターネット上に開設されたＷｅｂページの利用は日常的に行われるようになってきている。
【０００３】
このようにインターネット上に開設されたＷｅｂページを閲覧する場合、インターネットに接続可能に構成された携帯電話機やパソコン等の端末にてブラウザを起動し、アクセス情報を入力する領域にＷｅｂページのＵＲＬを入力する。すると、入力されたＵＲＬによって特定されるＷｅｂページに対してインターネットを介してアクセスが行われ、アクセスしたＷｅｂページがブラウザによって端末上に表示されることになる。
【０００４】
そのため、Ｗｅｂページを開設した企業団体等においては、ＷｅｂページのＵＲＬが多くの消費者に認識されていれば、多くの消費者にＷｅｂページを用いて情報を提供したり商品等を販売したりすることができる。
【０００５】
そこで、Ｗｅｂページにアクセス可能な携帯電話機から電話をかけると、発呼先の電話番号に対応づけられたＵＲＬが掲載された電子メールが携帯電話機に送信されるシステムが考えられている（例えば、特許文献１参照。）。このシステムにおいては、Ｗｅｂページにアクセス可能な携帯電話機から電話をかけると、発呼先の電話番号に対応づけられたＵＲＬが掲載された電子メールが作成され、発呼元の携帯電話機に送信される。発呼元の携帯電話機においては、送信されてきた電子メールに掲載されたＵＲＬをクリックすると、そのＵＲＬによって特定されるＷｅｂページに対するアクセスが行われ、このＷｅｂページが携帯電話機に表示されることになる。これにより、このシステムを用いれば、Ｗｅｂページを開設している企業団体等は、ＷｅｂページのＵＲＬを多くの消費者に容易に認識させることができるようになる。
【特許文献１】特開２００２−２３２５９６号公報
【発明の開示】
【発明が解決しようとする課題】
【０００６】
しかしながら、上述したような、Ｗｅｂページにアクセス可能な携帯電話機から電話をかけると、発呼先の電話番号に対応づけられたＵＲＬが掲載された電子メールが携帯電話機に送信されるシステムにおいては、利用者に提供されるＵＲＬと電話番号とが対応づけられており、利用者が電話をかけた場合にこの電話番号に対応づけられたＵＲＬが提供されることになるため、利用者に提供されるＵＲＬ毎に電話番号を設定しておく必要が生じ、電話番号という限られた資源を、通話以外の目的で多く使用してしまうという問題点がある。
【０００７】
本発明は、上述したような従来の技術が有する問題点に鑑みてなされたものであって、インターネットに接続可能な電話端末に対して、電話番号を無駄に使用することなく多くのアクセス情報を配信することができる情報配信システム及び情報配信サーバを提供することを目的とする。
【課題を解決するための手段】
【０００８】
上記目的を達成するために本発明は、
電子メールの送受信が可能な電話端末と、該電話端末からの要求に応じた情報を配信する情報配信手段とを有してなる情報配信システムであって、
前記情報配信手段は、
前記電話端末の電話番号と電子メールアドレスとを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくアクセス情報管理手段と、
前記電話端末から音声によって通知されてきた識別情報を音声認識する音声認識手段とを有し、
前記端末情報管理手段は、前記音声認識手段にて音声認識された識別情報の通知元となる電話端末の電話番号に対応づけて管理している電子メールアドレスをデータベースから検索し、
前記アクセス情報管理手段は、前記音声認識手段にて音声認識された識別情報に対応づけて管理しているアクセス情報をデータベースから検索し、
前記端末情報管理手段にて検索された電子メールアドレスを宛先とし、前記アクセス情報管理手段にて検索されたアクセス情報が掲載された電子メールを作成、送信する電子メール送受信手段を有することを特徴とする。
【０００９】
また、電子メールの送受信が可能な電話端末と、該電話端末からの要求に応じた情報を配信する情報配信手段とを有してなる情報配信システムであって、
前記情報配信手段は、
前記電話端末の電話番号及び電子メールアドレスと前記電話端末の利用者の属性情報とを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくとともに、前記属性情報を振り分け可能な振り分け条件と前記アクセス情報に付与する変数情報とを対応づけてデータベースとして管理しておくアクセス情報管理手段と、
前記電話端末から音声によって通知された識別情報を音声認識する音声認識手段とを有し、
前記端末情報管理手段は、前記音声認識手段にて音声認識された識別情報の通知元となる電話端末の電話番号に対応づけて管理している電子メールアドレス及び属性情報をデータベースから検索し、
前記アクセス情報管理手段は、前記音声認識手段にて音声認識された識別情報に対応づけて管理しているアクセス情報をデータベースから検索するとともに、前記端末情報管理手段にて検索された属性情報が振り分けられる振り分け条件に対応づけて管理している変数情報をデータベースから検索し、前記アクセス情報に前記変数情報を付与して個別アクセス情報を生成し、
前記端末情報管理手段にて検索された電子メールアドレスを宛先とし、前記アクセス情報管理手段にて生成された個別アクセス情報が掲載された電子メールを作成、送信する電子メール送受信手段を有することを特徴とする。
【００１０】
また、前記電話端末は、該電話端末の測位機能及び測位結果を前記情報配信手段に通知する機能を有し、
前記アクセス情報管理手段は、前記測位結果を振り分け可能な振り分け条件と前記アクセス情報に付与する変数情報とを対応づけてデータベースとして管理しておき、前記電話端末から前記識別情報が通知されてきた場合、該識別情報に対応づけて管理しているアクセス情報をデータベースから検索するとともに、前記電話端末の測位結果が振り分けられる振り分け条件に対応づけて管理している変数情報をデータベースから検索し、前記アクセス情報に前記変数情報を付与して個別アクセス情報を生成し、
前記電子メール送受信手段は、前記端末情報管理手段にて検索された電子メールアドレスを宛先とし、前記アクセス情報管理手段にて生成された個別アクセス情報が掲載された電子メールを作成、送信することを特徴とする。
【００１１】
また、前記アクセス情報管理手段は、１つのアクセス情報に複数の識別情報を対応づけ、かつ、１つの識別情報に複数のアクセス情報を対応づけてデータベースとして管理しておき、複数の識別情報が通知された場合に前記複数の識別情報に対応づけて管理しているアクセス情報をデータベースから検索することを特徴とする。
【００１２】
また、電子メールの送受信が可能な電話端末に対して、該電話端末からの要求に応じた情報を配信する情報配信サーバであって、
前記電話端末の電話番号と電子メールアドレスとを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくアクセス情報管理手段と、
前記電話端末から音声によって通知されてきた識別情報を音声認識する音声認識手段とを有し、
前記端末情報管理手段は、前記音声認識手段にて音声認識された識別情報の通知元となる電話端末の電話番号に対応づけて管理している電子メールアドレスをデータベースから検索し、
前記アクセス情報管理手段は、前記音声認識手段にて音声認識された識別情報に対応づけて管理しているアクセス情報をデータベースから検索し、
前記端末情報管理手段にて検索された電子メールアドレスを宛先とし、前記アクセス情報管理手段にて検索されたアクセス情報が掲載された電子メールを作成、送信する電子メール送受信手段を有することを特徴とする。
【００１３】
また、電子メールの送受信が可能な電話端末に対して、該電話端末からの要求に応じた情報を配信する情報配信サーバであって、
前記電話端末の電話番号及び電子メールアドレスと前記電話端末の利用者の属性情報とを対応づけてデータベースとして管理しておく端末情報管理手段と、
インターネット上にてアクセス可能な領域にアクセスするためのアクセス情報を、該アクセス情報を特定可能な識別情報と対応づけてデータベースとして管理しておくとともに、前記属性情報を振り分け可能な振り分け条件と前記アクセス情報に付与する変数情報とを対応づけてデータベースとして管理しておくアクセス情報管理手段と、
前記電話端末から音声によって通知されてきた識別情報を音声認識する音声認識手段とを有し、
前記端末情報管理手段は、前記音声認識手段にて音声認識された識別情報の通知元となる電話端末の電話番号に対応づけて管理している電子メールアドレス及び属性情報をデータベースから検索し、
前記アクセス情報管理手段は、前記音声認識手段にて音声認識された識別情報に対応づけて管理しているアクセス情報をデータベースから検索するとともに、前記端末情報管理手段にて検索された属性情報が振り分けられる振り分け条件に対応づけて管理している変数情報をデータベースから検索し、前記アクセス情報に前記変数情報を付与して個別アクセス情報を生成し、
前記端末情報管理手段にて検索された電子メールアドレスを宛先とし、前記アクセス情報管理手段にて生成された個別アクセス情報が掲載された電子メールを作成、送信する電子メール送受信手段を有することを特徴とする。
【００１４】
また、前記アクセス情報管理手段は、前記電話端末から通知された当該電話端末の測位結果を振り分け可能な振り分け条件と前記アクセス情報に付与する変数情報とを対応づけてデータベースとして管理しておき、前記電話端末から前記識別情報が通知されてきた場合、該識別情報に対応づけて管理しているアクセス情報をデータベースから検索するとともに、前記電話端末の測位結果が振り分けられる振り分け条件に対応づけて管理している変数情報をデータベースから検索し、前記アクセス情報に前記変数情報を付与して個別アクセス情報を生成し、
前記電子メール送受信手段は、前記端末情報管理手段にて検索された電子メールアドレスを宛先とし、前記アクセス情報管理手段にて生成された個別アクセス情報が掲載された電子メールを作成、送信することを特徴とする。
【００１５】
また、前記アクセス情報管理手段は、１つのアクセス情報に複数の識別情報を対応づけ、かつ、１つの識別情報に複数のアクセス情報を対応づけてデータベースとして管理しておき、複数の識別情報が通知された場合に前記複数の識別情報に対応づけて管理しているアクセス情報をデータベースから検索することを特徴とする。
【００１６】
上記のように構成された本発明においては、情報配信手段の端末情報管理手段において、電話端末の電話番号と電子メールアドレスとが対応づけてデータベースとして管理されており、また、情報配信手段のアクセス情報管理手段において、インターネット上にてアクセス可能な領域にアクセスするためのアクセス情報が、このアクセス情報を特定可能な識別情報と対応づけてデータベースとして管理されている。電子メールの送受信が可能な電話端末において、情報配信手段に電話がかけられ、識別情報が音声によって情報配信手段に通知されてくると、まず、情報配信手段の音声認識手段において、電話端末から音声によって通知されてきた識別情報が音声認識され、次に、端末情報管理手段において、音声認識手段にて音声認識された識別情報の通知元となる電話端末の電話番号に対応づけて管理されている電子メールアドレスがデータベースから検索され、また、アクセス情報管理手段において、音声認識手段にて音声認識された識別情報に対応づけて管理されているアクセス情報がデータベースから検索される。その後、情報配信手段の電子メール送受信手段において、端末情報管理手段にて検索された電子メールアドレスを宛先とし、アクセス情報管理手段にて検索されたアクセス情報が掲載された電子メールが作成、送信される。電子メール送受信手段から送信された電子メールが電話端末にて受信され、電子メールに掲載されたアクセス情報が指定されると、そのアクセス情報によってアクセスされる領域のＷｅｂページが電話端末に表示されることになる。
【００１７】
このように、電子メールの送受信が可能な電話端末において、情報配信手段に電話がかけられ、アクセス情報を特定可能な識別情報が音声にて電話端末から情報配信手段に通知されるだけで、この識別情報によって特定されるアクセス情報が掲載された電子メールが情報配信手段から電話端末に送信されるので、インターネットに接続可能な電話端末に対して、電話番号を無駄に使用することなく多くのアクセス情報を配信することができる。
【００１８】
また、情報配信手段の端末情報管理手段において、電話端末の電話番号及び電子メールアドレスと電話端末の利用者の属性情報とが対応づけられてデータベースとして管理されており、また、情報配信手段のアクセス情報管理手段において、インターネット上にてアクセス可能な領域にアクセスするためのアクセス情報が、このアクセス情報を特定可能な識別情報と対応づけられてデータベースとして管理されているとともに、属性情報を振り分け可能な振り分け条件とアクセス情報に付与する変数情報とが対応づけられてデータベースとして管理されている。電子メールの送受信が可能な電話端末において、情報配信手段に電話がかけられ、識別情報が音声によって情報配信手段に通知されてくると、まず、情報配信手段の音声認識手段において、電話端末から音声によって通知されてきた識別情報が音声認識され、次に、端末情報管理手段において、音声認識手段にて音声認識された識別情報の通知元となる電話端末の電話番号に対応づけて管理されている電子メールアドレス及び属性情報がデータベースから検索され、また、アクセス情報管理手段において、音声認識手段にて音声認識された識別情報に対応づけて管理されているアクセス情報がデータベースから検索されるとともに、端末情報管理手段にて検索された属性情報が振り分けられる振り分け条件に対応づけて管理されている変数情報がデータベースから検索され、アクセス情報に変数情報が付与されて個別アクセス情報が生成される。その後、情報配信手段の電子メール送受信手段において、端末情報管理手段にて検索された電子メールアドレスを宛先とし、アクセス情報管理手段にて生成された個別アクセス情報が掲載された電子メールが作成、送信される。電子メール送受信手段から送信された電子メールが電話端末にて受信され、電子メールに掲載されたアクセス情報が指定されると、そのアクセス情報によってアクセスされる領域のＷｅｂページが電話端末に表示されることになる。
【００１９】
このように、電子メールの送受信が可能な電話端末において、情報配信手段に電話がかけられ、アクセス情報を特定可能な識別情報が音声にて電話端末から情報配信手段に通知されるだけで、この識別情報及び電話端末の利用者の属性情報に応じた個別アクセス情報が掲載された電子メールが情報配信手段から電話端末に送信されるので、インターネットに接続可能な電話端末に対して、電話番号を無駄に使用することなく多くのアクセス情報を配信することができる。
【００２０】
また、電話端末に、該電話端末の測位機能及び測位結果を情報配信手段に通知する機能を設け、また、情報配信手段のアクセス情報管理手段において、測位結果を振り分け可能な振り分け条件とアクセス情報に付与する変数情報とを対応づけてデータベースとして管理しておき、電話端末から識別情報が通知された場合、その識別情報に対応づけて管理しているアクセス情報をデータベースから検索するとともに、電話端末の測位結果が振り分けられる振り分け条件に対応づけて管理している変数情報をデータベースから検索し、アクセス情報に変数情報を付与して個別アクセス情報を生成し、情報配信手段の電子メール送受信手段において、端末情報管理手段にて検索された電子メールアドレスを宛先とし、アクセス情報管理手段にて生成された個別アクセス情報が掲載された電子メールを作成、送信する構成とすれば、電話端末の現在位置に応じたアクセス情報を配信することができる。
【００２１】
また、アクセス情報管理手段において、１つのアクセス情報に複数の識別情報を対応づけ、かつ、１つの識別情報に複数のアクセス情報を対応づけてデータベースとして管理しておき、複数の識別情報が通知された場合に、通知された複数の識別情報に対応づけて管理しているアクセス情報をデータベースから検索する構成とすれば、電話端末にて複数の識別情報を指定することにより、電話端末の利用者が取得したいアクセス情報の条件を任意に絞り込むことができる。
【発明の効果】
【００２２】
以上説明したように本発明においては、電子メールの送受信が可能な電話端末において、情報配信手段に電話がかけられ、アクセス情報を特定可能な識別情報が音声にて電話端末から情報配信手段に通知されるだけで、この識別情報によって特定されるアクセス情報が掲載された電子メールが情報配信手段から電話端末に送信される構成としたため、インターネットに接続可能な電話端末に対して、電話番号を無駄に使用することなく多くのアクセス情報を配信することができる。
【００２３】
また、電子メールの送受信が可能な電話端末において、情報配信手段に電話がかけられ、アクセス情報を特定可能な識別情報が音声にて電話端末から情報配信手段に通知されるだけで、この識別情報及び電話端末の利用者の属性情報に応じた個別アクセス情報が掲載された電子メールが情報配信手段から電話端末に送信される構成としたため、インターネットに接続可能な電話端末に対して、電話番号を無駄に使用することなく多くのアクセス情報を配信することができる。
【００２４】
また、電話端末に、該電話端末の測位機能及び測位結果を情報配信手段に通知する機能を設け、また、情報配信手段のアクセス情報管理手段において、測位結果を振り分け可能な振り分け条件とアクセス情報に付与する変数情報とを対応づけてデータベースとして管理しておき、電話端末から識別情報が通知された場合、その識別情報に対応づけて管理しているアクセス情報をデータベースから検索するとともに、電話端末の測位結果が振り分けられる振り分け条件に対応づけて管理している変数情報をデータベースから検索し、アクセス情報に変数情報を付与して個別アクセス情報を生成し、情報配信手段の電子メール送受信手段において、端末情報管理手段にて検索された電子メールアドレスを宛先とし、アクセス情報管理手段にて生成された個別アクセス情報が掲載された電子メールを作成、送信する構成としたものにおいては、電話端末の現在位置に応じたアクセス情報を配信することができる。
【００２５】
また、アクセス情報管理手段において、１つのアクセス情報に複数の識別情報を対応づけ、かつ、１つの識別情報に複数のアクセス情報を対応づけてデータベースとして管理しておき、複数の識別情報が通知された場合に、通知された複数の識別情報に対応づけて管理しているアクセス情報をデータベースから検索する構成としたものにおいては、電話端末にて複数の識別情報を指定することにより、電話端末の利用者が取得したいアクセス情報の条件を任意に絞り込むことができる。
【発明を実施するための最良の形態】
【００２６】
以下に、本発明の実施の形態について図面を参照して説明する。
【００２７】
（第１の実施の形態）
図１は、本発明の情報配信システムの第１の実施の形態を示す図である。
【００２８】
本形態は図１に示すように、印刷物発行部６０から発行されるダイレクトメール７０と、公衆回線４０に接続可能に構成され、インターネット５０を介して電子メールの送受信及びＷｅｂサーバ２０−１〜２０−Ｎにて管理されるＷｅｂページに対するアクセスが可能な携帯電話機等の電話端末１０−１〜１０−ｎと、公衆回線４０を介して電話端末１０−１〜１０−ｎとの間にて通話可能に構成されるとともに、インターネット５０を介して電話端末１０−１〜１０−ｎとの間にてとの間にて電子メールの送受信が可能に構成され、電話端末１０−１〜１０−ｎにて音声で入力されたキーワードに応じた情報が掲載された電子メールを電話端末１０−１〜１０−ｎに送信する情報配信サーバ３０とから構成されている。
【００２９】
また、情報配信サーバ３０は、公衆回線４０を介して電話端末１０−１〜１０−ｎとの間にて通話を行う通話部３１と、通話部３１にて受信された音声情報を音声認識する音声認識部３２と、電話端末１０−１〜１０−ｎの電話番号と電子メールアドレスとを対応づけて端末情報データベース３６に登録して管理しておき、電話端末１０−１〜１０−ｎのうち通話部３１にて通話が行われている電話端末の電話番号に対応づけられた電子メールアドレスを端末情報データベース３６から検索する端末情報管理部３３と、インターネット５０上にてアクセス可能な領域となるＷｅｂサーバ２０−１〜２０−Ｎにて管理されるＷｅｂページにアクセスするためのアクセス情報であるＵＲＬを、ＵＲＬを特定可能に構成され、ダイレクトメール７０に掲載される識別情報であるキーワードと対応づけてアクセス情報データベース３７に登録して管理しておき、音声認識部３２にて音声認識されたキーワードに対応づけられたＵＲＬをアクセス情報データベース３７から検索するアクセス情報管理部３４と、端末情報管理部３３にて端末情報データベース３６から検索された電子メールアドレスを宛先とし、アクセス情報管理部３４にてアクセス情報データベース３７から検索されたＵＲＬが掲載された電子メールを作成、送信する電子メール送受信手段であるメール送受信部３５とから構成されている。
【００３０】
また、印刷物発行部６０から発行されるダイレクトメール７０には、情報配信サーバ３０の電話番号７１と、情報配信サーバ３０の電子メールアドレス７３と、Ｗｅｂサーバ２０−１〜２０−Ｎにて管理されるＷｅｂページにアクセスするためのアクセス情報であるＵＲＬを特定可能に構成されたキーワード７２とが掲載されている。すなわち、ダイレクトメール７０に掲載された電話番号７１及び電子メールアドレス７３は、Ｗｅｂサーバ２０−１〜２０−Ｎにて管理されるＷｅｂページのいずれのＵＲＬが掲載された電子メールを電話端末１０−１〜１０−ｎに配信する場合においても同一のものであり、また、それに対して、ダイレクトメール７０に掲載されたキーワード７２は、Ｗｅｂサーバ２０−１〜２０−Ｎにて管理されるＷｅｂページのうち、どのＵＲＬが掲載された電子メールを電話端末１０−１〜１０−ｎに配信するかによって異なるものである。
【００３１】
以下に、上記のように構成された情報配信システムにおける情報配信方法について、ダイレクトメール７０に掲載された情報を用いて、Ｗｅｂサーバ２０−１にて管理されるＷｅｂページのＵＲＬが掲載された電子メールを情報配信サーバ３０から電話端末１０−１に配信する場合の処理を例に挙げて説明する。
【００３２】
図２は、図１に示したダイレクトメール７０に掲載された情報を用いて、Ｗｅｂサーバ２０−１にて管理されるＷｅｂページのＵＲＬが掲載された電子メールを情報配信サーバ３０から電話端末１０−１に配信する場合の処理を説明するためのフローチャートである。
【００３３】
まず、印刷物発行部６０において、情報配信サーバ３０の電話番号７１と、情報配信サーバ３０の電子メールアドレス７３と、Ｗｅｂサーバ２０−１にて管理されるＷｅｂページにアクセスするためのアクセス情報であるＵＲＬを特定可能に構成されたキーワード７２とが掲載されたダイレクトメール７０が作製され、電話端末１０−１の利用者に送付される。ここで、Ｗｅｂサーバ２０−１を管理する企業団体等においては、電話端末１０−１の利用者の顧客情報を有しており、印刷物発行部６０においては、この顧客情報のうち、少なくとも電話端末１０−１の利用者の氏名と住所とを用いてダイレクトメール７０が作製され、送付される。
【００３４】
また、情報配信サーバ３０においては、アクセス情報管理部３４において、Ｗｅｂサーバ２０−１〜２０−Ｎにて管理されるＷｅｂページのＵＲＬと、ダイレクトメール７０に掲載されるキーワード７２とがそれぞれ対応づけてアクセス情報データベース３７に登録され、管理されている。
【００３５】
印刷物発行部６０から送付されたダイレクトメール７０が電話端末１０−１の利用者にて受け取られた後、電話端末１０−１の利用者が、ダイレクトメール７０に掲載されたキーワード７２を用いて、Ｗｅｂサーバ２０−１にて管理されるＷｅｂページのＵＲＬを取得する場合、以下に説明するような処理が行われる。
【００３６】
電話端末１０−１の利用者がこの情報配信システムにまだ登録していない場合（ステップＳ１）、ダイレクトメール７０に掲載された電子メールアドレス７３を宛先とし、電話端末１０−１の電話番号が掲載された電子メールを電話端末１０−１の利用者が作成し、作成された電子メールが電話端末１０−１から送信されると（ステップＳ２）、電話端末１０−１から送信された電子メールは、情報配信サーバ３０のメール送受信部３５にて受信される（ステップＳ３）。
【００３７】
すると、情報配信サーバ３０の端末情報管理部３３において、メール送受信部３５にて受信された電子メールを参照して、電話端末１０−１の電話番号と電子メールアドレスとが対応づけられて端末情報データベース３６に登録され、管理される（ステップＳ４）。
【００３８】
その後、電話端末１０−１の利用者が、ダイレクトメール７０に掲載された電話番号７１に電話をかけると（ステップＳ５）、情報配信サーバ３０の通話部３１と電話端末１０−１とが通話状態に設定される（ステップＳ６，Ｓ７）。
【００３９】
情報配信サーバ３０の通話部３１と電話端末１０−１とが通話状態において、電話端末１０−１の利用者が、ダイレクトメール７０に掲載されたキーワード７２を電話端末１０−１に向かって発声すると（ステップＳ８）、このキーワードが通話部３１にて受信され（ステップＳ９）、情報配信サーバ３０の音声認識部３２において、通話部３１にて受信されたキーワードが音声認識される（ステップＳ１０）。
【００４０】
すると、まず、情報配信サーバ３０の端末情報管理部３３において、端末情報データベース３６が参照され、通話部３１と通話状態の電話端末１０−１の電話番号に対応づけられた電子メールアドレスが検索される（ステップＳ１１）。
【００４１】
また、情報配信サーバ３０のアクセス情報管理部３４において、アクセス情報データベース３６が参照され、音声認識部３２にて音声認識されたキーワードに対応づけられたＵＲＬが検索される（ステップＳ１２）。
【００４２】
次に、情報配信サーバ３０のメール送受信部３５において、端末情報管理部３３にて検索された電子メールアドレスを宛先とし、アクセス情報管理部３４にて検索されたＵＲＬが掲載された電子メールが作成され、送信される（ステップＳ１３）。
【００４３】
メール送受信部３５から送信された電子メールは、インターネット５０を介して電話端末１０−１にて受信され、表示される（ステップＳ１４）。
【００４４】
その後、電話端末１０−１の利用者が、電話端末１０−１に表示された電子メールに掲載されたＵＲＬを指定すると、Ｗｅｂサーバ２０−１にて管理されるＷｅｂページに電話端末１０−１からインターネット５０を介してアクセスが行われ、Ｗｅｂサーバ２０−１にて管理されるＷｅｂページが電話端末１０−１に表示されることになる。
【００４５】
ここで、電話端末１０−１の電話番号及び電子メールアドレスは、上述したステップＳ２，Ｓ３における処理によって、情報配信サーバ３０の端末情報管理部３３にて管理されている。そのため、電話端末１０−１にてダイレクトメール７０に掲載された電話番号７１を用いて情報配信サーバ３０が電話をかけられ、電話端末１０−１と通話部３１とが通話状態に設定された場合、情報配信サーバ３０においては、電話端末１０−１の電話番号から電話端末１０−１の電子メールアドレスが認識されることになる。
【００４６】
そこで、その後、例えば、Ｗｅｂサーバ２０−２にて管理されるＷｅｂページのＵＲＬを電話端末１０−１に提供する場合は、まず、印刷物発行部６０において、情報配信サーバ３０の電話番号７１と、情報配信サーバ３０の電子メールアドレス７３と、Ｗｅｂサーバ２０−２にて管理されるＷｅｂページにアクセスするためのＵＲＬを特定可能に構成されたキーワード７２とが掲載されたダイレクトメール７０が作製され、電話端末１０−１の利用者に送付される。
【００４７】
印刷物発行部６０から送付されたダイレクトメール７０が電話端末１０−１の利用者にて受け取られた後、電話端末１０−１の利用者が、ダイレクトメール７０に掲載されたキーワード７２を用いて、Ｗｅｂサーバ２０−２にて管理されるＷｅｂページのＵＲＬを取得する場合は、上述したステップＳ２，Ｓ３における処理によって、電話端末１０−１の電話番号及び電子メールアドレスが情報配信サーバ３０の端末情報管理部３３にて管理されているため、上述したステップＳ２，Ｓ３における処理は行わず、電話端末１０−１の利用者が、ダイレクトメール７０に掲載された電話番号７１に電話をかけ、その後、ステップＳ６〜Ｓ１４における処理が行われることになる。
【００４８】
このように、電話端末１０−１〜１０−ｎの利用者は、印刷物発行部６０から送付されてきたダイレクトメール７０に掲載された電子メールアドレス７３を用いて、電話端末１０−１〜１０−ｎの電話番号及び電子メールアドレスを情報配信サーバ３０に登録しておけば、その後、他のＷｅｂサーバにて管理されるＷｅｂページのＵＲＬが掲載された電子メールの配信を行うためのダイレクトメール７０が送付されてきた場合、ダイレクトメール７０に掲載された電話番号７１を用いて情報配信サーバ３０に電話をかけ、ダイレクトメール７０に掲載されたキーワード７２を電話端末１０−１に対して発声するだけで、そのダイレクトメール７０に掲載されたキーワード７２によって特定されるＵＲＬが掲載された電子メールを受け取ることができる。
【００４９】
また、端末情報管理部３３及びアクセス情報管理部３４において、電話端末１０−１〜１０−ｎからキーワードが通知されてきた際に、過去の履歴を参照し、同一の電話端末から同一のキーワードが過去に通知されている場合、アクセス情報管理部３４にてそのキーワードに対応づけられたＵＲＬに変数情報を付与し、変数情報が付与されたＵＲＬが掲載された電子メールを電話端末１０−１〜１０−ｎに送信することも考えられる。このような構成とすることにより、同一の電話端末から同一のキーワードが通知されてきた場合であっても、異なるＵＲＬを電話端末１０−１〜１０−ｎに提供することができる。
【００５０】
なお、本形態においては、情報配信サーバ３０の電話番号７１と、情報配信サーバ３０の電子メールアドレス７３と、Ｗｅｂサーバ２０−１〜２０−Ｎにて管理されるＷｅｂページにアクセスするためのアクセス情報であるＵＲＬを特定可能に構成されたキーワード７２とが、電話端末１０−１〜１０−ｎの利用者に送付されるダイレクトメール７０に掲載されているが、これらの情報が掲載された印刷物としては、ポスターやチラシ、雑誌等も考えられ、また、情報配信サーバ３０から電話端末１０−１〜１０−ｎに送信される電子メールに掲載しておくことも考えられる。
【００５１】
（第２の実施の形態）
図３は、本発明の情報配信システムの第２の実施の形態を示す図である。
【００５２】
本形態は図３に示すように、印刷物発行部１６０から発行されるダイレクトメール１７０と、公衆回線１４０に接続可能に構成され、インターネット１５０を介して電子メールの送受信及びＷｅｂサーバ１２０−１〜１２０−Ｎにて管理されるＷｅｂページに対するアクセスが可能な携帯電話機等の電話端末１１０−１〜１１０−ｎと、公衆回線１４０を介して電話端末１１０−１〜１１０−ｎとの間にて通話可能に構成されるとともに、インターネット１５０を介して電話端末１１０−１〜１１０−ｎとの間にてとの間にて電子メールの送受信が可能に構成され、電話端末１１０−１〜１１０−ｎにて音声で入力されたキーワード及び電話端末１１０−１〜１１０−ｎの利用者の属性情報に応じた情報が掲載された電子メールを電話端末１１０−１〜１１０−ｎに送信する情報配信サーバ１３０とから構成されている。また、本形態においては、電話端末１１０−１〜１１０−ｎの利用者がこのシステムに登録するためのＷｅｂページが情報配信サーバ１３０から電話端末１１０−１〜１１０−ｎに提供される。
【００５３】
また、情報配信サーバ１３０は、公衆回線１４０を介して電話端末１１０−１〜１１０−ｎとの間にて通話を行う通話部１３１と、通話部１３１にて受信された音声情報を音声認識する音声認識部１３２と、電話端末１１０−１〜１１０−ｎの電話番号及び電子メールアドレスや、電話端末１１０−１〜１１０−ｎの利用者の氏名や年齢、住所等の属性情報を登録するためのＷｅｂページを電話端末１１０−１〜１１０−ｎにインターネット１５０を介して提供するＷｅｂページ管理部１３８と、Ｗｅｂページ管理部１３８から電話端末１１０−１〜１１０−ｎに提供されたＷｅｂページに入力された、電話端末１１０−１〜１１０−ｎの電話番号及び電子メールアドレスや、電話端末１１０−１〜１１０−ｎの利用者の氏名や年齢、住所等の属性情報を互いに対応づけて端末情報データベース１３６に登録して管理しておき、電話端末１１０−１〜１１０−ｎのうち通話部１３１にて通話が行われている電話端末の電話番号に対応づけられた電子メールアドレス及び属性情報を端末情報データベース１３６から検索する端末情報管理部１３３と、インターネット１５０上にてアクセス可能な領域となるＷｅｂサーバ１２０−１〜１２０−Ｎにて管理されるＷｅｂページにアクセスするためのアクセス情報であるＵＲＬを、ＵＲＬを特定可能に構成され、ダイレクトメール１７０に掲載される識別情報であるキーワードと対応づけてアクセス情報データベース１３７に登録して管理しておくとともに、端末情報管理部１３３にて管理されている属性情報を振り分け可能な振り分け条件と、ＵＲＬに付与する変数情報とを対応づけて管理しておき、音声認識部１３２にて音声認識されたキーワードに対応づけられたＵＲＬをアクセス情報データベース１３７から検索するとともに、端末情報管理部１３３にて検索された属性情報が振り分けられる振り分け条件に対応づけて管理している変数情報をアクセス情報データベース１３７から検索し、アクセス情報データベース１３７から検索したアクセス情報に変数情報を付与して個別アクセス情報となる個別ＵＲＬを生成するアクセス情報管理部１３４と、端末情報管理部１３３にて端末情報データベース１３６から検索された電子メールアドレスを宛先とし、アクセス情報管理部１３４にて生成された個別ＵＲＬが掲載された電子メールを作成、送信する電子メール送受信手段であるメール送受信部１３５とから構成されている。
【００５４】
また、印刷物発行部１６０から発行されるダイレクトメール１７０には、情報配信サーバ１３０の電話番号１７１と、情報配信サーバ１３０のＷｅｂページ管理部１３８にて管理されるＷｅｂページにアクセスするためのＵＲＬ１７４と、Ｗｅｂサーバ１２０−１〜１２０−Ｎにて管理されるＷｅｂページにアクセスするためのアクセス情報であるＵＲＬを特定可能に構成されたキーワード１７２とが掲載されている。すなわち、ダイレクトメール１７０に掲載された電話番号１７１及びＵＲＬ１７４は、Ｗｅｂサーバ１２０−１〜１２０−Ｎにて管理されるＷｅｂページのいずれのＵＲＬが掲載された電子メールを電話端末１１０−１〜１１０−ｎに配信する場合においても同一のものであり、また、それに対して、ダイレクトメール１７０に掲載されたキーワード１７２は、Ｗｅｂサーバ１２０−１〜１２０−Ｎにて管理されるＷｅｂページのうち、どのＵＲＬが掲載された電子メールを電話端末１１０−１〜１１０−ｎに配信するかによって異なるものである。
【００５５】
以下に、上記のように構成された情報配信システムにおける情報配信方法について、ダイレクトメール１７０に掲載された情報及び電話端末１１０−１の利用者の属性情報を用いて、Ｗｅｂサーバ１２０−１にて管理されるＷｅｂページのＵＲＬが掲載された電子メールを情報配信サーバ１３０から電話端末１１０−１に配信する場合の処理を例に挙げて説明する。
【００５６】
図４は、図３に示したダイレクトメール１７０に掲載された情報及び電話端末１１０−１の利用者の属性情報を用いて、Ｗｅｂサーバ１２０−１にて管理されるＷｅｂページのＵＲＬが掲載された電子メールを情報配信サーバ１３０から電話端末１１０−１に配信する場合の処理を説明するためのフローチャートである。
【００５７】
まず、印刷物発行部１６０において、情報配信サーバ１３０の電話番号１７１と、情報配信サーバ１３０のＷｅｂページ管理部１３８にて管理されるＷｅｂページにアクセスするためのＵＲＬ１７４と、Ｗｅｂサーバ１２０−１にて管理されるＷｅｂページにアクセスするためのアクセス情報であるＵＲＬを特定可能に構成されたキーワード１７２とが掲載されたダイレクトメール１７０が作製され、電話端末１１０−１の利用者に送付される。ここで、Ｗｅｂサーバ１２０−１を管理する企業団体等においては、電話端末１１０−１の利用者の顧客情報を有しており、印刷物発行部１６０においては、この顧客情報のうち、少なくとも電話端末１１０−１の利用者の氏名と住所とを用いてダイレクトメール１７０が作製され、送付される。
【００５８】
また、情報配信サーバ１３０においては、アクセス情報管理部１３４において、Ｗｅｂサーバ１２０−１〜１２０−Ｎにて管理されるＷｅｂページのＵＲＬと、ダイレクトメール１７０に掲載されるキーワード１７２とがそれぞれ対応づけてアクセス情報データベース１３７に登録され、管理されている。また、アクセス情報管理部１３４においては、端末情報管理部１３３にて管理されている属性情報を振り分け可能な振り分け条件が設定されており、この振り分け条件と、ＵＲＬに付与する変数情報とが対応づけて管理されている。設定される振り分け条件とは、例えば、２０代や、男性、あるいは東京都在住等といった、属性情報を振り分け可能な条件である。また、Ｗｅｂサーバ１２０−１〜１２０−Ｎにおいては、アクセス情報管理部１３４にて管理されるＵＲＬによって特定されるＷｅｂページが管理されているとともに、このＵＲＬに変数情報が付与されてなる個別ＵＲＬによって特定されるＷｅｂページも管理されている。
【００５９】
印刷物発行部１６０から送付されたダイレクトメール１７０が電話端末１１０−１の利用者にて受け取られた後、電話端末１１０−１の利用者が、ダイレクトメール１７０に掲載されたキーワード１７２及び電話端末１１０−１の利用者の属性情報を用いて、Ｗｅｂサーバ１２０−１にて管理されるＷｅｂページのＵＲＬを取得する場合、以下に説明するような処理が行われる。
【００６０】
電話端末１１０−１の利用者がこの情報配信システムにまだ登録していない場合（ステップＳ２１）、ダイレクトメール７０に掲載されたＵＲＬ１７４を用いて、情報配信サーバ１３０のＷｅｂページ管理部１３８にて管理されるＷｅｂページにアクセスが行われると（ステップＳ２２）、Ｗｅｂページ管理部１３８から、電話端末１１０−１〜１１０−ｎの電話番号及び電子メールアドレスや、電話端末１１０−１〜１１０−ｎの利用者の氏名や年齢、住所等の属性情報を登録するためのＷｅｂページが送信され（ステップＳ２３）、電話端末１１０−１にて受信、表示される（ステップＳ２４）。
【００６１】
情報配信サーバ１３０のＷｅｂページ管理部１３８から送信され、電話端末１１０−１にて受信、表示されたＷｅｂページに、電話端末１１０−１〜１１０−ｎの電話番号及び電子メールアドレスや、電話端末１１０−１〜１１０−ｎの利用者の氏名や年齢、住所等の属性情報が入力され、送信されると（ステップＳ２５）、これらの情報が情報配信サーバ１３０にて受信され、端末情報管理部１３３において、電話端末１１０−１〜１１０−ｎの電話番号及び電子メールアドレスや、電話端末１１０−１〜１１０−ｎの利用者の氏名や年齢、住所等の属性情報が互いに対応づけて端末情報データベース１３６に登録される（ステップＳ２６）。
【００６２】
その後、電話端末１１０−１の利用者が、ダイレクトメール１７０に掲載された電話番号１７１に電話をかけると（ステップＳ２７）、情報配信サーバ１３０の通話部１３１と電話端末１１０−１とが通話状態に設定される（ステップＳ２８，Ｓ２９）。
【００６３】
情報配信サーバ１３０の通話部１３１と電話端末１１０−１とが通話状態において、電話端末１１０−１の利用者が、ダイレクトメール１７０に掲載されたキーワード１７２を電話端末１１０−１に向かって発声すると（ステップＳ３０）、このキーワードが通話部１３１にて受信され（ステップＳ３１）、情報配信サーバ１３０の音声認識部１３２において、通話部１３１にて受信されたキーワードが音声認識される（ステップＳ３２）。
【００６４】
すると、まず、情報配信サーバ１３０の端末情報管理部１３３において、端末情報データベース１３６が参照され、通話部１３１と通話状態の電話端末１１０−１の電話番号に対応づけられた電子メールアドレス及び電話端末１１０−１の利用者の属性情報が検索される（ステップＳ３３）。
【００６５】
また、情報配信サーバ１３０のアクセス情報管理部１３４において、アクセス情報データベース１３６が参照され、音声認識部１３２にて音声認識されたキーワードに対応づけられたＵＲＬが検索されるとともに、端末情報管理部１３３にて検索された属性情報に基づいて、この属性情報が振り分けられる振り分け条件に対応づけられた変数情報が検索される（ステップＳ３４）。例えば、電話端末１１０−１の利用者の属性情報として、３５歳、女性、東京都在住という情報が端末情報管理部１３３にて管理されている場合、「３０代」、「女性」、「東京都在住」といった振り分け条件がアクセス情報管理部１３４にて設定されているかどうかが検索され、これらの条件が設定されていれば、アクセス情報管理部１３４にてこれらの情報に対応づけられた変数情報がアクセス情報データベース１３７から検索されることになる。
【００６６】
次に、アクセス情報管理部１３４において、アクセス情報データベース１３６から検索されたＵＲＬに変数情報が付与され、個別ＵＲＬが生成される（ステップＳ３５）。
【００６７】
次に、情報配信サーバ１３０のメール送受信部１３５において、端末情報管理部１３３にて検索された電子メールアドレスを宛先とし、アクセス情報管理部１３４にて生成された個別ＵＲＬが掲載された電子メールが作成され、送信される（ステップＳ３６）。
【００６８】
メール送受信部１３５から送信された電子メールは、インターネット１５０を介して電話端末１１０−１にて受信され、表示される（ステップＳ３７）。
【００６９】
その後、電話端末１１０−１の利用者が、電話端末１１０−１に表示された電子メールに掲載された個別ＵＲＬを指定すると、Ｗｅｂサーバ１２０−１にて管理されるＷｅｂページのうち、ダイレクトメール１７０に掲載されたキーワード１７２及び電話端末１１０−１の利用者の属性情報に応じたＷｅｂページに電話端末１１０−１からインターネット１５０を介してアクセスが行われ、Ｗｅｂサーバ１２０−１にて管理され、ダイレクトメール１７０に掲載されたキーワード１７２及び電話端末１１０−１の利用者の属性情報に応じたＷｅｂページが電話端末１１０−１に表示されることになる。
【００７０】
ここで、電話端末１１０−１の電話番号及び電子メールアドレス、並びに電話端末１１０−１の利用者の属性情報は、上述したステップＳ２２〜Ｓ２６における処理によって、情報配信サーバ１３０の端末情報管理部１３３にて管理されている。そのため、電話端末１１０−１にてダイレクトメール１７０に掲載された電話番号１７１を用いて情報配信サーバ１３０に電話がかけられ、電話端末１１０−１と通話部１３１とが通話状態に設定された場合、情報配信サーバ１３０においては、電話端末１１０−１の電話番号から電話端末１１０−１の電子メールアドレス及び電話端末１１０−１の利用者の属性情報が認識されることになる。
【００７１】
そこで、その後、例えば、Ｗｅｂサーバ１２０−２にて管理されるＷｅｂページのＵＲＬを電話端末１１０−１に提供する場合は、まず、印刷物発行部１６０において、情報配信サーバ１３０の電話番号１７１と、情報配信サーバ１３０のＷｅｂページ管理部１３８にて管理されるＷｅｂページにアクセスするためのＵＲＬ１７４と、Ｗｅｂサーバ１２０−２にて管理されるＷｅｂページにアクセスするためのＵＲＬを特定可能に構成されたキーワード１７２とが掲載されたダイレクトメール１７０が作製され、電話端末１１０−１の利用者に送付される。
【００７２】
印刷物発行部１６０から送付されたダイレクトメール１７０が電話端末１１０−１の利用者にて受け取られた後、電話端末１１０−１の利用者が、ダイレクトメール１７０に掲載されたキーワード１７２を用いて、Ｗｅｂサーバ１２０−２にて管理されるＷｅｂページのＵＲＬを取得する場合は、上述したステップＳ２２〜Ｓ２６における処理によって、電話端末１１０−１の電話番号及び電子メールアドレス、並びに電話端末１１０−１の利用者の属性情報が情報配信サーバ１３０の端末情報管理部１３３にて管理されているため、上述したステップＳ２２〜Ｓ２６における処理は行わず、電話端末１１０−１の利用者が、ダイレクトメール１７０に掲載された電話番号１７１に電話をかけ、その後、ステップＳ２８〜Ｓ３７における処理が行われることになる。
【００７３】
このように、電話端末１１０−１〜１１０−ｎの利用者は、印刷物発行部１６０から送付されてきたダイレクトメール１７０に掲載されたＵＲＬ１７４を用いて情報配信サーバ１３０のＷｅｂページ管理部１３８にて管理されるＷｅｂページにアクセスし、このＷｅｂページを用いて、電話端末１１０−１〜１１０−ｎの電話番号及び電子メールアドレス、並びに電話端末１１０−１〜１１０−ｎの利用者の属性情報を情報配信サーバ１３０に登録しておけば、その後、他のＷｅｂサーバにて管理されるＷｅｂページのＵＲＬが掲載された電子メールの配信を行うためのダイレクトメール１７０が送付されてきた場合、ダイレクトメール１７０に掲載された電話番号１７１を用いて情報配信サーバ１３０に電話をかけ、ダイレクトメール１７０に掲載されたキーワード１７２を電話端末１１０−１に対して発声するだけで、そのダイレクトメール１７０に掲載されたキーワード１７２及び電話端末１１０−１〜１１０−ｎの利用者の属性情報に応じたＵＲＬが掲載された電子メールを受け取ることができる。
【００７４】
また、端末情報管理部１３３及びアクセス情報管理部１３４において、電話端末１１０−１〜１１０−ｎからキーワードが通知されてきた際に、過去の履歴を参照し、同一の電話端末から同一のキーワードが過去に通知されている場合、アクセス情報管理部１３４にてそのキーワードに対応づけられたＵＲＬに対して、振り分け条件に対応づけられた変数情報とは別の変数情報を付与し、変数情報が付与されたＵＲＬが掲載された電子メールを電話端末１１０−１〜１１０−ｎに送信することも考えられる。このような構成とすることにより、同一の電話端末から同一のキーワードが通知されてきた場合であっても、異なるＵＲＬを電話端末１１０−１〜１１０−ｎに提供することができる。
【００７５】
なお、本形態においては、情報配信サーバ１３０の電話番号１７１と、情報配信サーバ１３０のＷｅｂページ管理部１３８にて管理されるＷｅｂページにアクセスするためのＵＲＬ１７４と、Ｗｅｂサーバ１２０−１〜１２０−Ｎにて管理されるＷｅｂページにアクセスするためのアクセス情報であるＵＲＬを特定可能に構成されたキーワード１７２とが、電話端末１１０−１〜１０−ｎの利用者に送付されるダイレクトメール１７０に掲載されているが、これらの情報が掲載された印刷物としては、ポスターやチラシ、雑誌等も考えられ、また、情報配信サーバ１３０から電話端末１１０−１〜１１０−ｎに送信される電子メールに掲載しておくことも考えられる。
【００７６】
また、上述した２つの実施の形態において、電話端末１０−１〜１０−ｎ，１１０−１〜１１０−ｎに測位機能及び測位結果を情報配信サーバ３０，１３０に通知する機能を設け、また、情報配信サーバ３０，１３０のアクセス情報管理部３４，１３４において、電話端末１０−１〜１０−ｎ，１１０−１〜１１０−ｎの測位結果を振り分け可能な振り分け条件と、Ｗｅｂサーバ２０−１〜２０−Ｎ，１２０−１〜１２０−Ｎにて管理されるＷｅｂページにアクセスするためのＵＲＬに付与する変数情報とを対応づけて管理しておき、ＵＲＬと変数情報とを用いて生成した個別ＵＲＬによって、Ｗｅｂサーバ２０−１〜２０−Ｎ，１２０−１〜１２０−Ｎにて管理されるＷｅｂページにアクセスする構成とすれば、電話端末１０−１〜１０−ｎ，１１０−１〜１１０−ｎからダイレクトメール７０，１７０に掲載された電話番号７１，１７１に電話がかけられてキーワード７２，１７２が発声された場合、このキーワード７２，１７２及び電話端末１０−１〜１０−ｎ，１１０−１〜１１０−ｎの位置情報に応じたＵＲＬが掲載された電子メールが情報配信サーバ３０，１３０から電話端末１０−１〜１０−ｎ，１１０−１〜１１０−ｎに送信されることになる。
【００７７】
また、情報配信サーバ３０，１３０のアクセス情報管理部３４，１３４において、１つのＵＲＬに対して複数のキーワードを対応づけて管理し、かつ、１つのキーワードに対して複数のＵＲＬを対応づけて管理しておき、複数のキーワードが電話端末１０−１〜１０−ｎ，１１０−１〜１１０−ｎから通知された場合に、この複数のキーワード全てに対応づけて管理されたＵＲＬが掲載された電子メールを電話端末１０−１〜１０−ｎ，１１０−１〜１１０−ｎに送信することも考えられる。この場合、例えば、「八王子」というキーワードに対応づけて八王子にある商店のＵＲＬを管理しておき、また、「本屋」というキーワードに対応づけて本屋のＵＲＬを管理しておき、「八王子」というキーワードと「本屋」というキーワードとが電話端末１０−１〜１０−ｎ，１１０−１〜１１０−ｎから通知された場合に、「八王子」というキーワードに対応づけて管理され、かつ、「本屋」というキーワードに対応づけて管理されているＵＲＬ、すなわち、八王子にある本屋のＵＲＬが掲載された電子メールが電話端末１０−１〜１０−ｎ，１１０−１〜１１０−ｎに送信されることになる。
【００７８】
また、情報配信サーバ３０において、電話端末１０−１〜１０−ｎ，１１０−１〜１１０−ｎにて、情報配信サーバ３０から送信された電子メールに掲載されたＵＲＬを用いて、Ｗｅｂサーバ２０−１〜２０−Ｎ，１２０−１〜１２０−Ｎにて管理されるＷｅｂページにアクセスが行われた数に応じて、Ｗｅｂサーバ２０−１〜２０−Ｎ，１２０−１〜１２０−Ｎを管理する企業団体等に対して課金を行うことも考えられる。
【図面の簡単な説明】
【００７９】
【図１】本発明の情報配信システムの第１の実施の形態を示す図である。
【図２】図１に示したダイレクトメールに掲載された情報を用いて、Ｗｅｂサーバにて管理されるＷｅｂページのＵＲＬが掲載された電子メールを情報配信サーバから電話端末に配信する場合の処理を説明するためのフローチャートである。
【図３】本発明の情報配信システムの第２の実施の形態を示す図である。
【図４】図３に示したダイレクトメールに掲載された情報及び電話端末の利用者の属性情報を用いて、Ｗｅｂサーバにて管理されるＷｅｂページのＵＲＬが掲載された電子メールを情報配信サーバから電話端末に配信する場合の処理を説明するためのフローチャートである。
【符号の説明】
【００８０】
１０−１〜１０−ｎ，１１０−１〜１１０−ｎ    電話端末
２０−１〜２０−Ｎ，１２０−１〜１２０−Ｎ    Ｗｅｂサーバ
３０，１３０    情報配信サーバ
３１，１３１    通話部
３２，１３２    音声認識部
３３，１３３    端末情報管理部
３４，１３４    アクセス情報管理部
３５，１３５    メール送受信部
３６，１３６    端末情報データベース
３７，１３７    アクセス情報データベース
４０，１４０    公衆回線
５０，１５０    インターネット
６０，１６０    印刷物発行部
７０，１７０    ダイレクトメール
７１，１７１    電話番号
７２，１７２    キーワード
７３    電子メールアドレス
１３８    Ｗｅｂページ管理部
１７４    ＵＲＬ
【図１】
2005136815.tif 000003
【図２】
2005136815.tif 000004
【図３】
2005136815.tif 000005
【図４】
2005136815.tif 000006